(57)【要約】【課題】ブーツ、高級衣類、バッグ、革製品を長期間、手入れの必要なく保管できるようにする。【解決手段】ブーツ、高級衣類、バッグ、革製品などを、袋体２の内部に酸素吸収体４と共に密封して該袋体内部の空気中の酸素を除去する。このようにすれば、密封された袋体２の内部の空気中の酸素がゼロになるか、あるいは微少量になっているので、そのままの状態で長期間保管していても、被保管物にカビが生えたり、虫食い状態になったり、痛んだりすることがなくなり、保管が著しく容易になる。【選択図】        図１
2004155492.tif 000002
【特許請求の範囲】
【請求項１】
被保管物を袋体の内部に酸素吸収体と共に密封して該袋体内部の空気中の酸素を除去するようにしたことを特徴とする保管装置。
【請求項２】
被保管物を袋体の内部に酸素吸収体と共に収納した後、該袋体を密封して該袋体内部の空気中の酸素を除去するようにしたことを特徴とする保管方法。
【請求項３】
靴を袋体の内部に酸素吸収体と共に密封して該袋体内部の空気中の酸素を除去するようにしたことを特徴とする保管装置。
【請求項４】
靴を袋体の内部に酸素吸収体と共に収納した後、該袋体を密封して該袋体内部の空気中の酸素を除去するようにしたことを特徴とする保管方法。
【請求項５】
衣類を袋体の内部に酸素吸収体と共に密封して該袋体内部の空気中の酸素を除去するようにしたことを特徴とする保管装置。
【請求項６】
衣類を袋体の内部に酸素吸収体と共に収納した後、該袋体を密封して該袋体内部の空気中の酸素を除去するようにしたことを特徴とする保管方法。
【請求項７】
カバン類を袋体の内部に酸素吸収体と共に密封して該袋体内部の空気中の酸素を除去するようにしたことを特徴とする保管装置。
【請求項８】
カバン類を袋体の内部に酸素吸収体と共に収納した後、該袋体を密封して該袋体内部の空気中の酸素を除去するようにしたことを特徴とする保管方法。
【請求項９】
革製品を袋体の内部に酸素吸収体と共に密封して該袋体内部の空気中の酸素を除去するようにしたことを特徴とする保管装置。
【請求項１０】
革製品を袋体の内部に酸素吸収体と共に収納した後、該袋体を密封して該袋体内部の空気中の酸素を除去するようにしたことを特徴とする保管方法。
【発明の詳細な説明】
【０００１】
【発明の属する技術分野】
本発明は靴、衣類、カバン類、革製品などを保管する保管装置及び保管方法に関する。
【０００２】
【従来の技術】
例えばブーツのような冬期に使用する靴は、次の冬期がくるまでの間、箱などにいれたり、ゲタ箱などにいれておくと、高温多湿な我が国ではカビが生えたりしやすく使用不能になってしまうおそれがある。
【０００３】
また、季節物の衣類、あるいは普段は使用しない高級な和服や礼服などもタンスなどにいれておくと、カビが生えたり虫食いされたりするおそれがある。
【０００４】
また、ブランド物の高級バッグなどのカバン類も、箱などにいれておくと、カビが生えたりして痛むおそれがある。また革製品も同様である。
【０００５】
【発明が解決しようとする課題】
従って、これらの物は使用しない間しばしば取り出して手入れをする必要があり、煩雑であった。
本発明はこのような問題を解決した保管装置及び保管方法を提供することを目的としている。
【０００６】
【課題を解決するための手段】
前記目的を達成するために、本発明の請求項１、請求項２では、
被保管物を袋体の内部に酸素吸収体と共に収納し密封して該袋体内部の空気中の酸素を除去するようにしたことを特徴としている。
【０００７】
このようにすれば、密封された袋体の内部の空気中の酸素がゼロになるか、あるいは微少量になっているので、そのままの状態で長期間保管していても、被保管物にカビが生えたり、虫食い状態になったり、痛んだりすることがなくなり、保管が著しく容易になる。
【０００８】
また、本発明の請求項３、請求項４では、
靴を袋体の内部に酸素吸収体と共に収納し密封して該袋体内部の空気中の酸素を除去するようにしたことを特徴としている。
【０００９】
このようにすれば、密封された袋体の内部の空気中の酸素がゼロになるか、あるいは微少量になっているので、そのままの状態で長期間保管していても、靴にカビが生えたり、虫食い状態になったり、痛んだりすることがなくなり、保管が著しく容易になる。
【００１０】
また、本発明の請求項５、請求項６では、
衣類を袋体の内部に酸素吸収体と共に収納し密封して該袋体内部の空気中の酸素を除去するようにしたことを特徴としている。
【００１１】
このようにすれば、密封された袋体の内部の空気中の酸素がゼロになるか、あるいは微少量になっているので、そのままの状態で長期間保管していても、衣類にカビが生えたり、虫食い状態になったり、痛んだりすることがなくなり、保管が著しく容易になる。
【００１２】
また、本発明の請求項７、請求項８では、
カバン類を袋体の内部に酸素吸収体と共に収納し密封して該袋体内部の空気中の酸素を除去するようにしたことを特徴としている。
【００１３】
このようにすれば、密封された袋体の内部の空気中の酸素がゼロになるか、あるいは微少量になっているので、そのままの状態で長期間保管していても、カバン類にカビが生えたり、虫食い状態になったり、痛んだりすることがなくなり、保管が著しく容易になる。
【００１４】
また、本発明の請求項９、請求項１０では、
革製品を袋体の内部に酸素吸収体と共に収納し密封して該袋体内部の空気中の酸素を除去するようにしたことを特徴としている。
【００１５】
このようにすれば、密封された袋体の内部の空気中の酸素がゼロになるか、あるいは微少量になっているので、そのままの状態で長期間保管していても、革製品にカビが生えたり、虫食い状態になったり、痛んだりすることがなくなり、保管が著しく容易になる。
【００１６】
【発明の実施の形態】
以下、本発明の実施の形態を説明する。
例えば、ブーツのような季節物の靴、あるいは高級な儀礼用の靴などの被保管物１を、まず、修理したり、消臭したり、滅菌したり、磨いたりして手入れした後、図１に示すように、例えば矩形袋状で一端が開口したビニールその他の空気を通さない材質の袋体２の開口部３から内部にいれ、この袋体２に開口部３から酸素吸収体４をいれる。
【００１７】
酸素吸収体４には、例えば空気を通さない包装体４ａの内部に酸化物質が封入されていて、包装体４ａを破ると、酸化物質が周囲の空気から酸素を奪って酸化反応を起こす既知のものを用いる。
【００１８】
従って、この酸素吸収体４を包装体４ａから破って袋体４の内部にいれた後、直ちに、袋体２の開口部３を、例えば袋体２を構成する上下２枚のシート２ａ、２ｂの開口部３側の端部同士を熱接着５させることによって密封する。
このため、密封された袋体２の内部の空気中から酸素吸収体によって酸素が奪われて、酸素の残存量がゼロあるいは微少になる。
【００１９】
このため、生存に酸素を必要とするカビなどが靴１に発生して靴１が痛んだりすることがなくなる。
従って、このように袋体２に封入した状態のまま長期間、何の手入れも要さず保管することができる。
【００２０】
なお、前記靴の代りに、着物などの和服、シルクの衣服、カシミヤや毛皮の衣類などの常時は着用しない高級な衣類などを、クリーニングしたり、洗ったり、消臭したり、滅菌したりして手入れした後、同様に袋体２内に酸素吸収体４と共に密封して酸素を吸収させれば、カビや虫食い等を生じることなく安全に保管できる。
【００２１】
また、ブランド物のバッグや高級カバンなど（カバン類）も、磨いたり、消臭したり、滅菌したりして手入れをした後、同様に袋体２内に酸素吸収体４と共に密封して酸素を吸収させれば、カビや虫食い等を生じることなく安全に保管できる。
【００２２】
また、革ジャンパーや毛皮コートなどの革製品も同様に手入れした後、同様に袋体２内に酸素吸収体４と共に密封して酸素を吸収させれば、カビや虫食い等を生じることなく安全に保管できる。
【００２３】
従って、このように靴や衣類やカバン類や革製品を店舗、例えばクリーニング店、靴店、カバン店などにおいて、前記した修理や消臭、滅菌、磨き、その他の手入れのサービスを行った後、袋体への密封のサービスを行うようにし、客は封入した状態で自宅で保管したり、あるいは店舗で保管したり、多数の店舗を統括する本部で一括して保管するようにしてもよい。
【００２４】
【発明の効果】
以上のように本発明では、被保管物を袋体の内部に酸素吸収体と共に密封して該袋体内部の空気中の酸素を除去するようにしているので、密封された袋体の内部の空気中の酸素がゼロになるか、あるいは微少量になっているので、そのままの状態で長期間保管していても、被保管物にカビが生えたり、虫食い状態になったり、痛んだりすることがなくなり、保管が著しく容易になる。
【図面の簡単な説明】
【図１】本発明の一実施形態を示す斜視図
【図２】同実施形態を示す平面図
【符号の説明】
１  被保管物
２  袋体
３  開口部
４  酸素吸収体
【図１】
2004155492.tif 000003
【図２】
2004155492.tif 000004